(57)【要約】【課題】コンデンサケースの取手に損傷が生じることの抑制された電力変換ユニットを提供する。【解決手段】コンデンサ素子５４１と、コンデンサ素子を収納するコンデンサケース５４２と、を備えるコンデンサ５４０と、コンデンサを収納するケース５８０と、コンデンサケースとケースとを締結固定するボルト５８７と、コンデンサケースとケースとの間に設けられ、コンデンサケースとケースとの間でたわんだバネ体５９０と、を有し、コンデンサケースにはボルトの軸部５８７ｂの挿入される第１ボルト孔５４２ｇの形成された取手５４２ｆが形成され、ケースには取手の第１ボルト孔を通ったボルトの軸部の先端の挿入される第２ボルト孔５８６ｂの形成された固定部５８６が形成され、コンデンサケースはケースにおける固定部の形成された底部５８３と離間しており、バネ体は、ボルトの軸部の延びる方向でたわんでいる。【選択図】図４
2020120447.tif 000002
【特許請求の範囲】
【請求項１】
コンデンサ素子（５４１）と、前記コンデンサ素子を収納するコンデンサケース（５４２）と、を備えるコンデンサ（５４０）と、
前記コンデンサを収納するケース（５８０）と、
前記コンデンサケースと前記ケースとを固定するボルト（５８７）と、
前記コンデンサケースと前記ケースとの間に設けられ、前記コンデンサケースと前記ケースとの間でたわんだバネ体（５９０）と、を有し、
前記コンデンサケースには前記ボルトの軸部（５８７ｂ）の挿入される第１ボルト孔（５４２ｇ）の形成された取手（５４２ｆ）が形成され、
前記ケースには前記取手の前記第１ボルト孔を通った前記ボルトの前記軸部の先端の挿入される第２ボルト孔（５８６ｂ）の形成された固定部（５８６）が形成され、
前記コンデンサケースは前記ケースにおける前記固定部の形成された底部（５８３）と離間し、
前記バネ体は、前記ボルトの前記軸部の延びる方向でたわんでいる電力変換ユニット。
【請求項２】
前記ケースは、前記底部を備える筐体（５８１）と、前記筐体に連結されるカバー（５８２）と、を有し、
前記バネ体は、前記コンデンサケースと前記カバーとの間でたわんだ上部バネ体（５９１）と、前記コンデンサケースと前記筐体の前記底部との間でたわんだ下部バネ体（５９２）と、を有する請求項１に記載の電力変換ユニット。
【請求項３】
前記バネ体は、前記コンデンサケースと前記底部との間でたわんだ下部バネ体（５９２）を有する請求項１に記載の電力変換ユニット。
【請求項４】
前記ケースは、前記底部を備える筐体（５８１）と、前記筐体に連結されるカバー（５８２）と、を有し、
前記コンデンサケースに前記カバーが押し当てられている請求項３に記載の電力変換ユニット。
【請求項５】
前記ケースは、前記底部を備える筐体（５８１）と、前記筐体に連結されるカバー（５８２）と、を有し、
前記バネ体は、前記コンデンサケースと前記カバーとの間でたわんだ上部バネ体（５９１）を有する請求項１に記載の電力変換ユニット。
【発明の詳細な説明】
【技術分野】
【０００１】
本明細書に記載の開示は、電力変換ユニットに関するものである。
【背景技術】
【０００２】
特許文献１に示されるように電力変換装置に用いられるコンデンサが知られている。コンデンサはコンデンサ素子と、コンデンサ素子を収納するケースと、を有する。ケースには筐体に固定するための固定部が形成されている。固定部が筐体にボルト止めされることで、コンデンサが筐体に固定されている。
【先行技術文献】
【特許文献】
【０００３】
【特許文献１】特開２０１５−７９８３７号公報
【発明の概要】
【発明が解決しようとする課題】
【０００４】
ところで、特許文献１に記載のコンデンサ素子で発生した熱を筐体に効率的に熱伝導するために、ケース（コンデンサケース）と筐体とを接触させた状態で、固定部（取手）を筐体にボルト止めする構成が考えられる。しかしながらこのようにコンデンサケースと筐体とを接触させると、寸法交差などのために取手と筐体とが少なからず離間した状態になる。このように両者が離間した状態で取手を筐体にボルト締結すると、取手に応力集中が起きる虞がある。これにより取手に損傷が生じる虞がある。
【０００５】
そこで本明細書に記載の開示は、コンデンサケースの取手に損傷が生じることの抑制された電力変換ユニットを提供することを目的とする。
【課題を解決するための手段】
【０００６】
開示の１つは、コンデンサ素子（５４１）と、コンデンサ素子を収納するコンデンサケース（５４２）と、を備えるコンデンサ（５４０）と、
コンデンサを収納するケース（５８０）と、
コンデンサケースとケースとを固定するボルト（５８７）と、
コンデンサケースとケースとの間に設けられ、コンデンサケースとケースとの間でたわんだバネ体（５９０）と、を有し、
コンデンサケースにはボルトの軸部（５８７ｂ）の挿入される第１ボルト孔（５４２ｇ）の形成された取手（５４２ｆ）が形成され、
ケースには取手の第１ボルト孔を通ったボルトの軸部の先端の挿入される第２ボルト孔（５８６ｂ）の形成された固定部（５８６）が形成され、
コンデンサケースはケースにおける固定部の形成された底部（５８３）と離間し、
バネ体は、ボルトの軸部の延びる方向でたわんでいる。
【０００７】
このように本開示では、コンデンサケース（５４２）とケース（５８０）との間でバネ体（５９０）がたわんでいる。これによりコンデンサケース（５４２）とケース（５８０）とがバネ体（５９０）を介して熱伝導可能になっている。コンデンサ（５４０）で生じた熱がバネ体（５９０）を介してケース（５８０）に放熱可能になっている。
【０００８】
本開示では、コンデンサケース（５４２）とケース（５８０）との間でバネ体（５９０）がボルト（５８７）の軸部（５８７ｂ）の延びる方向にたわんでいる。そのためにバネ体（５９０）からコンデンサケース（５４２）に付勢力が作用される。この付勢力によって取手（５４２ｆ）に応力が作用する。しかしながら、例えばコンデンサケース（５４２）とケース（５８０）とがボルト（５８７）の軸部（５８７ｂ）の延びる方向で直接接触する構成と比べて、取手（５４２ｆ）に作用する応力が低くなっている。そのために取手（５４２ｆ）に損傷が生じることが抑制されている。
【０００９】
なお、上記の括弧内の参照番号は、後述の実施形態に記載の構成との対応関係を示すものに過ぎず、技術的範囲を何ら制限するものではない。
【図面の簡単な説明】
【００１０】
【図１】車載システムの電気回路図である。
【図２】第２平滑コンデンサの上面図である。
【図３】ＩＩＩ−ＩＩＩ線に沿う第２平滑コンデンサの断面図である。
【図４】電力変換ユニットの機械的構成を説明するための断面図である。
【図５】電力変換ユニットの第１変形例を説明するための断面図である。
【図６】電力変換ユニットの第２変形例を説明するための断面図である。
【図７】電力変換ユニットの第３変形例を説明するための断面図である。
【発明を実施するための形態】
【００１１】
以下、実施形態を図に基づいて説明する。
【００１２】
（第１実施形態）
図１に基づいて本実施形態に係る電力変換ユニット５２０を説明する。
【００１３】
＜車載システム＞
先ず、図１に基づいて電力変換ユニット５２０の設けられる車載システム１００を説明する。この車載システム１００は電気自動車用のシステムを構成している。車載システム１００は、バッテリ２００、電力変換装置３００、および、モータ４００を有する。電力変換装置３００に電力変換ユニット５２０が含まれている。
【００１４】
また車載システム１００は図示しない複数のＥＣＵを有する。これら複数のＥＣＵはバス配線を介して相互に信号を送受信している。複数のＥＣＵは協調して電気自動車を制御している。複数のＥＣＵの制御により、バッテリ２００のＳＯＣに応じたモータ４００の回生と力行が制御される。ＳＯＣはstate of chargeの略である。ＥＣＵはelectronic control unitの略である。
【００１５】
バッテリ２００は複数の二次電池を有する。これら複数の二次電池は直列接続された電池スタックを構成している。この電池スタックのＳＯＣがバッテリ２００のＳＯＣに相当する。二次電池としてはリチウムイオン二次電池、ニッケル水素二次電池、および、有機ラジカル電池などを採用することができる。
【００１６】
電力変換装置３００はバッテリ２００とモータ４００との間の電力変換を行う。電力変換装置３００はバッテリ２００の直流電力をモータ４００の力行に適した電圧レベルの交流電力に変換する。電力変換装置３００はモータ４００の発電（回生）によって生成された交流電力をバッテリ２００の充電に適した電圧レベルの直流電力に変換する。
【００１７】
モータ４００は図示しない電気自動車の出力軸に連結されている。モータ４００の回転エネルギーは出力軸を介して電気自動車の走行輪に伝達される。逆に、走行輪の回転エネルギーは出力軸を介してモータ４００に伝達される。
【００１８】
モータ４００は電力変換装置３００から供給される交流電力によって力行する。これにより推進力が走行輪に付与される。またモータ４００は走行輪から伝達される回転エネルギーによって回生する。この回生によって発生した交流電力は、電力変換装置３００によって直流電力に変換されるとともに降圧される。この直流電力がバッテリ２００に供給される。また直流電力は電気自動車に搭載された各種電気負荷にも供給される。
【００１９】
＜電力変換装置＞
次に電力変換装置３００を説明する。電力変換装置３００はコンバータ５００とインバータ６００を備えている。コンバータ５００はバッテリ２００の直流電力をモータ４００の力行に適した電圧レベルに昇圧する。インバータ６００はこの直流電力を交流電力に変換する。この交流電力がモータ４００に供給される。またインバータ６００はモータ４００で生成された交流電力を直流電力に変換する。コンバータ５００はこの直流電力をバッテリ２００の充電に適した電圧レベルに降圧する。
【００２０】
図１に示すようにコンバータ５００は第１電力ライン３０１と第２電力ライン３０２を介してバッテリ２００と電気的に接続されている。コンバータ５００は第３電力ライン３０３と第４電力ライン３０４を介してインバータ６００と電気的に接続されている。
【００２１】
第１電力ライン３０１はバッテリ２００の正極に接続されている。第２電力ライン３０２はバッテリ２００の負極に接続されている。これら第１電力ライン３０１と第２電力ライン３０２に第１平滑コンデンサ５０１が接続されている。第１平滑コンデンサ５０１の有する２つの電極のうちの一方が第１電力ライン３０１に接続されている。第１平滑コンデンサ５０１の有する２つの電極のうちの他方が第２電力ライン３０２に接続されている。第１平滑コンデンサ５０１はコンバータ５００の構成要素の一部である。コンバータ５００については後で詳説する。
【００２２】
インバータ６００は第３電力ライン３０３と第４電力ライン３０４との間で並列接続された３相以上のレグを有する。これら３相以上のレグそれぞれは直列接続された２つのスイッチ素子を有する。これら２つのスイッチ素子の間の中点にバスバが接続されている。このバスバがモータ４００のステータコイルと電気的に接続されている。インバータ６００の構成についてはその説明と図示を省略する。第２平滑コンデンサ５４０がコンデンサに相当する。
【００２３】
＜コンバータの回路構成＞
図１に示すようにコンバータ５００はリアクトル５１０と電力変換ユニット５２０を有する。電力変換ユニット５２０はスイッチモジュール５３０と第２平滑コンデンサ５４０を有する。なお厳密に区別すれば、第２平滑コンデンサ５４０はインバータ６００の構成要素である。
【００２４】
リアクトル５１０は連結バスバ５５０を介してスイッチモジュール５３０と機械的および電気的に接続されている。スイッチモジュール５３０はＰバスバ５６０とＮバスバ５６１それぞれを介して第２平滑コンデンサ５４０と機械的および電気的に接続されている。
【００２５】
リアクトル５１０はＡ相リアクトル５１１、Ｂ相リアクトル５１２、Ｃ相リアクトル５１３、および、Ｄ相リアクトル５１４を有する。これに応じてスイッチモジュール５３０はＡ相レグ５３１、Ｂ相レグ５３２、Ｃ相レグ５３３、および、Ｄ相レグ５３４を有する。連結バスバ５５０はＡ相連結バスバ５５１、Ｂ相連結バスバ５５２、Ｃ相連結バスバ５５３、および、Ｄ相連結バスバ５５４を有する。
【００２６】
このように本実施形態のコンバータ５００は、Ａ相〜Ｄ相の４相のリアクトル、レグ、および、連結バスバを備える。４相のレグは上記のＥＣＵおよびゲートドライバによって各相独立して駆動制御される。若しくは、ＥＣＵおよびゲートドライバによって４相のレグは同調して駆動制御される。
【００２７】
Ａ相レグ５３１〜Ｄ相レグ５３４それぞれは、半導体素子として、ハイサイドスイッチ５３５とローサイドスイッチ５３６、および、ハイサイドダイオード５３５ａとローサイドダイオード５３６ａを有する。これら半導体素子が樹脂封止されてパッケージが構成されている。
【００２８】
本実施形態では、ハイサイドスイッチ５３５とローサイドスイッチ５３６としてｎチャネル型のＩＧＢＴを採用している。これらハイサイドスイッチ５３５とローサイドスイッチ５３６それぞれのコレクタ電極、エミッタ電極、および、ゲート電極それぞれに接続された端子の先端が上記のパッケージの外に露出されている。
【００２９】
図１に示すようにハイサイドスイッチ５３５のコレクタ電極はＰバスバ５６０に接続されている。ハイサイドスイッチ５３５のエミッタ電極とローサイドスイッチ５３６のコレクタ電極とが接続されている。ローサイドスイッチ５３６のエミッタ電極がＮバスバ５６１に接続されている。これによりハイサイドスイッチ５３５とローサイドスイッチ５３６はＰバスバ５６０からＮバスバ５６１へ向かって順に直列接続されている。
【００３０】
また、ハイサイドスイッチ５３５のコレクタ電極にハイサイドダイオード５３５ａのカソード電極が接続されている。ハイサイドスイッチ５３５のエミッタ電極にハイサイドダイオード５３５ａのアノード電極が接続されている。これによりハイサイドスイッチ５３５にハイサイドダイオード５３５ａが逆並列接続されている。
【００３１】
同様にして、ローサイドスイッチ５３６のコレクタ電極にローサイドダイオード５３６ａのカソード電極が接続されている。ローサイドスイッチ５３６のエミッタ電極にローサイドダイオード５３６ａのアノード電極が接続されている。これによりローサイドスイッチ５３６にローサイドダイオード５３６ａが逆並列接続されている。
【００３２】
なお、これらハイサイドスイッチ５３５とローサイドスイッチ５３６としては、ＩＧＢＴではなくＭＯＳＦＥＴを採用することもできる。採用するスイッチの種類としては特に限定されない。ただし、これらスイッチとしてＭＯＳＦＥＴを採用する場合、上記のダイオードはなくともよい。
【００３３】
また、コンバータ５００を構成する半導体素子は、Ｓｉなどの半導体、および、ＳｉＣなどのワイドギャップ半導体によって製造することができる。半導体素子の構成材料としては特に限定されない。
【００３４】
更に言えば、Ａ相レグ５３１〜Ｄ相レグ５３４それぞれの有するスイッチ素子の種類と構成材料は異なっていてもよい。例えば、Ａ相レグ５３１の備えるスイッチ素子がＳｉＣから構成されるＭＯＳＦＥＴ、Ｂ相レグ５３２〜Ｄ相レグ５３４それぞれの備えるスイッチ素子がＳｉから構成されるＩＧＢＴであってもよい。
【００３５】
図１に示すように、Ａ相リアクトル５１１の一端は第１電力ライン３０１に接続される。Ａ相リアクトル５１１の他端はＡ相連結バスバ５５１を介してＡ相レグ５３１のハイサイドスイッチ５３５のエミッタ電極とローサイドスイッチ５３６のコレクタ電極に接続される。以上により、Ａ相リアクトル５１１はバッテリ２００の正極と、Ａ相レグ５３１のハイサイドスイッチ５３５とローサイドスイッチ５３６との間の中点とに接続されている。
【００３６】
同様にして、Ｂ相リアクトル５１２の一端は第１電力ライン３０１に接続される。Ｂ相リアクトル５１２の他端はＢ相連結バスバ５５２を介してＢ相レグ５３２のハイサイドスイッチ５３５のエミッタ電極とローサイドスイッチ５３６のコレクタ電極に接続される。以上により、Ｂ相リアクトル５１２はバッテリ２００の正極と、Ｂ相レグ５３２のハイサイドスイッチ５３５とローサイドスイッチ５３６との間の中点とに接続されている。
【００３７】
Ｃ相リアクトル５１３の一端は第１電力ライン３０１に接続される。Ｃ相リアクトル５１３の他端はＣ相連結バスバ５５３を介してＣ相レグ５３３のハイサイドスイッチ５３５のエミッタ電極とローサイドスイッチ５３６のコレクタ電極に接続される。以上により、Ｃ相リアクトル５１３はバッテリ２００の正極と、Ｃ相レグ５３３のハイサイドスイッチ５３５とローサイドスイッチ５３６との間の中点とに接続されている。
【００３８】
Ｄ相リアクトル５１４の一端は第１電力ライン３０１に接続される。Ｄ相リアクトル５１４の他端はＤ相連結バスバ５５４を介してＤ相レグ５３４のハイサイドスイッチ５３５のエミッタ電極とローサイドスイッチ５３６のコレクタ電極に接続される。以上により、Ｄ相リアクトル５１４はバッテリ２００の正極と、Ｄ相レグ５３４のハイサイドスイッチ５３５とローサイドスイッチ５３６との間の中点とに接続されている。
【００３９】
Ａ相レグ５３１〜Ｄ相レグ５３４それぞれの備えるハイサイドスイッチ５３５とローサイドスイッチ５３６は上記のＥＣＵとゲートドライバによって開閉制御される。ＥＣＵは制御信号を生成し、それをゲートドライバに出力する。ゲートドライバは制御信号を増幅し、それをスイッチのゲート電極に出力する。これによりＥＣＵはハイサイドスイッチ５３５とローサイドスイッチ５３６を開閉制御して、コンバータ５００に入力される直流電力の電圧レベルを昇降圧する。
【００４０】
ＥＣＵは制御信号としてパルス信号を生成している。ＥＣＵはこのパルス信号のオンデューティ比と周波数を調整することで直流電力の昇降圧レベルを調整している。またＥＣＵはＡ相レグ５３１〜Ｄ相レグ５３４のうちの駆動対象とするレグの数を選択することで昇降圧レベルを調整している。この昇降圧レベルはモータ４００の目標トルクとバッテリ２００のＳＯＣに応じて決定される。
【００４１】
バッテリ２００の直流電力を昇圧する場合、ＥＣＵはハイサイドスイッチ５３５とローサイドスイッチ５３６それぞれを交互に開閉する。これとは反対にインバータ６００から供給された直流電力を降圧する場合、ＥＣＵはローサイドスイッチ５３６に出力する制御信号をローレベルに固定する。それとともにＥＣＵはハイサイドスイッチ５３５に出力する制御信号をハイレベルとローレベルに順次切り換える。
【００４２】
＜電力変換装置の構成＞
次に、電力変換ユニット５２０の構成を説明する。それに当たって、以下においては互いに直交の関係にある３方向をｘ方向、ｙ方向、および、ｚ方向とする。
【００４３】
＜ケース＞
図４に示すように電力変換ユニット５２０は、これまでに図１に基づいて説明した構成要素の他に、これら構成要素を支持するケース５８０を有する。図４では図１に示した構成要素の代表として第２平滑コンデンサ５４０を図示している。
【００４４】
ケース５８０は筐体５８１とカバー５８２を有する。筐体５８１はｚ方向の厚さの薄い底部５８３と、底部５８３の内底面５８３ａの縁部からｚ方向に環状に起立した枠部５８４と、を有する。筐体５８１の開口が、枠部５８４における内底面５８３ａからｚ方向に離れた先端側で構成されている。
【００４５】
枠部５８４の先端側の端面（上端面５８４ａ）はｚ方向に面している。枠部５８４にはこの上端面５８４ａに開口する第１ボルト孔５８４ｂが形成されている。
【００４６】
カバー５８２はｚ方向の厚さの薄い扁平形状を成している。カバー５８２はｚ方向に面する内主面５８２ａと外主面５８２ｂを有する。カバー５８２には、これら内主面５８２ａと外主面５８２ｂとに開口する第２ボルト孔５８２ｃが形成されている。
【００４７】
図４に示すように、カバー５８２の内主面５８２ａと枠部５８４の上端面５８４ａとがｚ方向で対向する態様で、カバー５８２が枠部５８４に載置される。カバー５８２の第２ボルト孔５８２ｃの中空と枠部５８４の第１ボルト孔５８４ｂの上端面５８４ａ側の開口とがｚ方向で並べられる。これにより１つのボルト孔が構成されている。このボルト孔に第１ボルト５８５が締結される。カバー５８２がｚ方向において枠部５８４の上端面５８４ａに近づく態様で、カバー５８２が筐体５８１に第１ボルト５８５によって固定される。この結果、筐体５８１の開口がカバー５８２によって閉塞されている。これによりケース５８０の中空が構成されている。
【００４８】
図示しないが、これらケース５８０を構成する筐体５８１とカバー５８２の少なくとも一方の内部に、冷媒を流動するための流路が形成されてもよい。若しくは、このような流路の形成された冷却部材が、ケース５８０に熱伝導可能に固定された構成を採用することもできる。係る構成を採用することで、ケース５８０に収納される第２平滑コンデンサ５４０などの電力変換ユニット５２０の構成要素を冷却することができる。なお、第２平滑コンデンサ５４０からケース５８０への放熱のしやすさは、当然ながらにして、第２平滑コンデンサ５４０とケース５８０との間の熱抵抗の高低に依存している。
【００４９】
図４に示すように、底部５８３の内底面５８３ａには、内底面５８３ａから内主面５８２ａ側に向かってｚ方向に沿って延びる複数の固定部５８６が形成されている。複数の固定部５８６の先端側の先端面５８６ａはｚ方向に面している。固定部５８６にはこの先端面５８６ａに開口する第３ボルト孔５８６ｂが形成されている。後述するように、この固定部５８６の先端面５８６ａに第２平滑コンデンサ５４０が固定される。
【００５０】
＜第２平滑コンデンサ＞
図２および図３に示すように第２平滑コンデンサ５４０は、コンデンサ素子５４１と、コンデンサケース５４２と、被覆樹脂５４３と、を備える。
【００５１】
コンデンサ素子５４１はｚ方向で互いに離間して並ぶ上面５４１ａと下面５４１ｂを有する。コンデンサ素子５４１の上面５４１ａに正電極５４４が形成されている。正電極５４４には溶接などによって第１延長バスバ５６２が連結されている。第１延長バスバ５６２はＰバスバ５６０と電気的に接続されている。
【００５２】
コンデンサ素子５４１の下面５４１ｂに負電極５４５が形成されている。負電極５４５には溶接などによって第２延長バスバ５６３が連結されている。第２延長バスバ５６３はＮバスバ５６１と電気的に接続されている。なお図１では、表記が煩雑となることを避けるために、これら第１延長バスバ５６２と第２延長バスバ５６３の記載を省略している。
【００５３】
図２および図３に示すようにコンデンサケース５４２は下部５４２ａ、周壁５４２ｂ、および、上部５４２ｃを有する。下部５４２ａと上部５４２ｃはそれぞれｚ方向の厚さの薄い扁平形状を成している。周壁５４２ｂはｚ方向に２つの開口を有する環状を成している。周壁５４２ｂの有する２つの開口のうちの一方が下部５４２ａによって閉塞されている。周壁５４２ｂの有する２つの開口のうちの他方が上部５４２ｃによって閉塞されている。これによりコンデンサケース５４２の中空が構成されている。
【００５４】
図３に示すように、このコンデンサケース５４２の中空に、第１延長バスバ５６２と第２延長バスバ５６３の接続されたコンデンサ素子５４１が収納される。そしてコンデンサケース５４２の中空に被覆樹脂５４３が充填される。これにより第１延長バスバ５６２と第２延長バスバ５６３の接続されたコンデンサ素子５４１がコンデンサケース５４２の中空で被覆樹脂５４３によって被覆されている。
【００５５】
図２に示すように第１延長バスバ５６２と第２延長バスバ５６３の一部は被覆樹脂５４３から露出されるとともに、コンデンサケース５４２の中空の外に突出している。この延長バスバにおけるコンデンサケース５４２から露出された部分がＰバスバ５６０とＮバスバ５６１それぞれに接続される。
【００５６】
図２〜図４に示すようにコンデンサケース５４２は、周壁５４２ｂにおけるｘ方向に離間して並ぶ２つの側部５４２ｄを有する。この２つの側部５４２ｄそれぞれには、コンデンサケース５４２の中空から離間する態様でｘ方向に延びる複数のフランジ部５４２ｆが形成されている。フランジ部５４２ｆにはｚ方向に貫通する第４ボルト孔５４２ｇが形成されている。第４ボルト孔５４２ｇは第１ボルト孔に相当する。
【００５７】
図４に示すようにフランジ部５４２ｆは固定部５８６に載置される。フランジ部５４２ｆの第４ボルト孔５４２ｇの中空と固定部５８６の第３ボルト孔５８６ｂの先端面５８６ａ側の開口とがｚ方向で並べられる。これにより１つのボルト孔が構成されている。このボルト孔に第２ボルト５８７が締結されることで、コンデンサケース５４２が固定部５８６にボルト止めされている。フランジ部５４２ｆが取手に相当する。第３ボルト孔５８６ｂは第２ボルト孔に相当する。
【００５８】
第２ボルト５８７は頭部５８７ａと、頭部５８７ａから離間する態様でｚ方向に延びた軸部５８７ｂと、を有する。この第２ボルト５８７の軸部５８７ｂが、第４ボルト孔５４２ｇと第３ボルト孔５８６ｂとによって構成される１つのボルト孔に通される。フランジ部５４２ｆがｚ方向において固定部５８６の先端面５８６ａに近づく態様で、コンデンサケース５４２が固定部５８６に第２ボルト５８７によって固定されている。第２ボルト５８７はボルトに相当する。
【００５９】
＜バネ体＞
電力変換ユニット５２０はこれまでに説明した構成要素の他に、図４に示すバネ体５９０を有する。本実施形態のバネ体５９０は上部バネ体５９１と下部バネ体５９２を有する。これら上部バネ体５９１と下部バネ体５９２はｚ方向に弾性変形可能になっている。上部バネ体５９１と下部バネ体５９２としては、板バネ、皿ばね、および、ｚ方向に湾曲した金属プレートなどを採用することができる。
【００６０】
図４に示すように、フランジ部５４２ｆが固定部５８６にボルト止めされた状態で、コンデンサケース５４２の下部５４２ａと筐体５８１の底部５８３とがｚ方向で離間している。この下部５４２ａと底部５８３との間に下部バネ体５９２が介在されている。
【００６１】
第２ボルト５８７によってコンデンサケース５４２が固定部５８６に固定されると、下部バネ体５９２の上面５９２ａがコンデンサケース５４２の下部５４２ａの外底面５４２ｅと接触される。下部バネ体５９２の下面５９２ｂが筐体５８１の底部５８３の内底面５８３ａと接触される。下部バネ体５９２はコンデンサケース５４２と筐体５８１との間でｚ方向に圧縮される。これにより下部バネ体５９２はコンデンサケース５４２と筐体５８１との間でｚ方向にたわんでいる。下部バネ体５９２は自身からｚ方向に離間する付勢力を発生している。
【００６２】
具体的に言えば、下部バネ体５９２は自身からｚ方向に沿ってコンデンサケース５４２に向かう付勢力をコンデンサケース５４２に付与している。この付勢力によって下部バネ体５９２の上面５９２ａとコンデンサケース５４２の下部５４２ａの外底面５４２ｅとの接触面積が増大している。下部バネ体５９２とコンデンサケース５４２との接触界面での熱抵抗が低まっている。この結果、下部バネ体５９２とコンデンサケース５４２とが積極的に熱伝導可能になっている。
【００６３】
また、下部バネ体５９２は自身からｚ方向に沿って筐体５８１に向かう付勢力を筐体５８１に付与している。この付勢力によって下部バネ体５９２の下面５９２ｂと筐体５８１の底部５８３の内底面５８３ａとの接触面積が増大している。下部バネ体５９２と筐体５８１との接触界面での熱抵抗が低まっている。これにより下部バネ体５９２と筐体５８１とが積極的に熱伝導可能になっている。
【００６４】
図４に示すように、フランジ部５４２ｆが固定部５８６にボルト止めされた状態で、コンデンサケース５４２の上部５４２ｃとケース５８０のカバー５８２とがｚ方向で離間している。この上部５４２ｃとカバー５８２との間に上部バネ体５９１が介在されている。
【００６５】
第１ボルト５８５によってカバー５８２が筐体５８１に連結されると、上部バネ体５９１の上面５９１ａがカバー５８２の内主面５８２ａと接触される。上部バネ体５９１の下面５９１ｂがコンデンサケース５４２の上部５４２ｃの外蓋面５４２ｈと接触される。上部バネ体５９１はカバー５８２とコンデンサケース５４２との間でｚ方向に圧縮される。これにより上部バネ体５９１はカバー５８２とコンデンサケース５４２との間でｚ方向にたわんでいる。上部バネ体５９１は自身からｚ方向に離間する付勢力を発生している。
【００６６】
具体的に言えば、上部バネ体５９１は自身からｚ方向に沿ってカバー５８２に向かう付勢力をカバー５８２に付与している。この付勢力によって上部バネ体５９１の上面５９１ａとカバー５８２の内主面５８２ａとの接触面積が増大している。上部バネ体５９１とカバー５８２との接触界面での熱抵抗が低まっている。この結果、上部バネ体５９１とカバー５８２とが積極的に熱伝導可能になっている。
【００６７】
また、上部バネ体５９１は自身からｚ方向に沿ってコンデンサケース５４２に向かう付勢力をコンデンサケース５４２に付与している。この付勢力によって上部バネ体５９１の下面５９１ｂとコンデンサケース５４２の上部５４２ｃの外蓋面５４２ｈとの接触面積が増大している。上部バネ体５９１とコンデンサケース５４２との接触界面での熱抵抗が低まっている。これにより上部バネ体５９１とコンデンサケース５４２とが積極的に熱伝導可能になっている。
【００６８】
以上に示した機械的な構成のため、コンデンサケース５４２と筐体５８１とが下部バネ体５９２を介して積極的に熱伝導可能になっている。コンデンサケース５４２とカバー５８２とが上部バネ体５９１を介して積極的に熱伝導可能になっている。第２平滑コンデンサ５４０とケース５８０とがバネ体５９０を介して積極的に熱伝導可能になっている。
【００６９】
なお、上記したようにコンデンサケース５４２の上部５４２ｃに上部バネ体５９１が接触している。コンデンサケース５４２の下部５４２ａに下部バネ体５９２が接触している。上部バネ体５９１と下部バネ体５９２はコンデンサケース５４２を介してｚ方向で並んでいる。
【００７０】
そして上部バネ体５９１からコンデンサケース５４２に向かう付勢力がコンデンサケース５４２に付与されている。下部バネ体５９２からコンデンサケース５４２に向かう付勢力がコンデンサケース５４２に付与されている。
【００７１】
これら上部バネ体５９１からコンデンサケース５４２に付与される付勢力と、下部バネ体５９２からコンデンサケース５４２に付与される付勢力の向きはｚ方向で逆向きになっている。そのためにこれら２つの付勢力は互いに打消し合っている。そのためにバネ体５９０からコンデンサケース５４２に付与される付勢力によって、コンデンサケース５４２における筐体５８１と固定される部位（フランジ部５４２ｆ）に応力が作用することが抑制されている。
【００７２】
＜作用効果＞
コンデンサケース５４２はバネ体５９０を介してケース５８０と積極的に熱伝導可能になっている。そのためにコンデンサ素子５４１で生じた熱がバネ体５９０を介してケース５８０に放熱されやすくなっている。
【００７３】
上記したようにケース５８０に冷媒の流れる流路が形成されている場合、コンデンサ素子５４１で生じた熱がバネ体５９０を介して積極的にケース５８０に放熱されやすくなる。また、冷媒の流れる流路の形成された部材がケース５８０に固定された場合も同様にして、コンデンサ素子５４１で生じた熱がバネ体５９０を介して積極的にケース５８０に放熱されやすくなる。この結果、第２平滑コンデンサ５４０の昇温が抑制される。
【００７４】
なお、バネ体５９０の付勢力のために、コンデンサケース５４２における筐体５８１に固定される部位（フランジ部５４２ｆ）に応力が作用する虞がある。しかしながら、例えば、バネ体５９０などを介さずにコンデンサケース５４２とケース５８０とがｚ方向で直接接触する構成と比べて、フランジ部５４２ｆに応力が作用することが抑制される。これによりフランジ部５４２ｆに損傷が生じることが抑制される。
【００７５】
特に本実施形態では、バネ体５９０が上部バネ体５９１と下部バネ体５９２を有する。これら上部バネ体５９１と下部バネ体５９２それぞれがコンデンサケース５４２に付与する付勢力が互いに逆向きになっている。そのためにこれら２つの付勢力は打消し合っている。付勢力によってフランジ部５４２ｆに応力が作用することが抑制されている。
【００７６】
以上、本開示の好ましい実施形態について説明したが、本開示は上記した実施形態になんら制限されることなく、本開示の主旨を逸脱しない範囲において、種々変形して実施することが可能である。
【００７７】
本実施形態では、バネ体５９０が上部バネ体５９１と下部バネ体５９２を有する例を示した。しかしながら例えば図５および図６に示すようにバネ体５９０が上部バネ体５９１を有さない構成を採用することもできる。
【００７８】
（第１変形例）
図５に示す変形例の場合、第２ボルト５８７の締結時にフランジ部５４２ｆに作用する応力と、下部バネ体５９２の付勢力によってフランジ部５４２ｆに作用する応力とは、その向きがｚ方向で逆向きになる。このためにこれら応力が互いに打ち消されることが期待される。これによりフランジ部５４２ｆに損傷が生じることが抑制される。
【００７９】
（第２変形例）
図６に示す変形例の場合、カバー５８２と枠部５８４が第１ボルト５８５によって締結されることで、カバー５８２とコンデンサケース５４２とが直接接触している。コンデンサケース５４２にカバー５８２が押し当てられている。これによりコンデンサケース５４２とカバー５８２とが積極的に熱伝導可能になっている。なおもちろんではあるが、これらコンデンサケース５４２とカバー５８２との間には、伝熱シートなどが介在されてもよい。
【００８０】
係る構成の場合、第１ボルト５８５の締結時にフランジ部５４２ｆに作用する応力と、下部バネ体５９２の付勢力によってフランジ部５４２ｆに作用する応力とは、その向きがｚ方向で逆向きになる。このためにこれら応力が互いに打ち消されることが期待される。この結果、フランジ部５４２ｆに損傷が生じることが抑制される。
【００８１】
（第３変形例）
また、例えば図７に示すように、バネ体５９０は下部バネ体５９２を有さなくともよい。
【符号の説明】
【００８２】
５４０…第２平滑コンデンサ、５４１…コンデンサ素子、５４２…コンデンサケース、５４２ｆ…フランジ部、５４２ｇ…第４ボルト孔、５８０…ケース、５８１…筐体、５８２…カバー、５８３…底部、５８６…固定部、５８６ｂ…第３ボルト孔、５８７…第２ボルト、５８７ｂ…軸部、５９０…バネ体、５９１…上部バネ体、５９２…下部バネ体
【図１】
2020120447.tif 000003
【図２】
2020120447.tif 000004
【図３】
2020120447.tif 000005
【図４】
2020120447.tif 000006
【図５】
2020120447.tif 000007
【図６】
2020120447.tif 000008
【図７】
2020120447.tif 000009